(57)【特許請求の範囲】
【請求項１】
円盤形物体を係合させるための係合溝が設けられた係合溝形成面を有する蓋において、
該係合溝形成面に、側面全体が斜面で構成された凹部が設けられており、
前記係合溝は該凹部に設けられている蓋であって、
前記係合溝を含む蓋の断面において、前記凹部及び前記係合溝の底面が円弧状であることを特徴とする蓋。
【請求項２】
請求項１において、前記断面において、前記凹部の底面から前記係合溝の底面までの距離が該係合溝の延在方向において略一定であることを特徴とする蓋。
【請求項３】
円盤形物体を係合させるための係合溝が設けられた係合溝形成面を有する蓋において、
該係合溝形成面に、側面全体が斜面で構成された凹部が設けられており、
前記係合溝は該凹部に設けられており、
該係合溝は、該凹部を横断し、その両端が該係合溝形成面にまで達していることを特徴とする蓋。
【請求項４】
請求項１ないし３のいずれか１項において、前記凹部は凹球面状であることを特徴とする蓋。
【請求項５】
請求項１ないし４のいずれか１項において、前記凹部は蓋開閉操作者の指先を差し込み得る大きさであることを特徴とする蓋。
【請求項６】
請求項１ないし５のいずれか１項の蓋が点検口に装着されている排水トラップ。
【発明の詳細な説明】
【技術分野】
【０００１】
本発明は、開口に着脱可能に装着される蓋に係り、特にコインなどによって開閉される蓋に関する。また、本発明は、この蓋を備えた排水トラップに関する。
【背景技術】
【０００２】
開口に着脱可能に装着される蓋として、コインなど円盤形部材の係合溝を有したものが広く用いられている。この蓋の係合溝にコイン等を係合させて回すことにより、蓋が着脱される（例えば特許文献１の図１４，１５、特許文献２の図２７、特許文献３）。
【０００３】
特許文献１では、排水トラップの清掃口にねじ込み式の蓋（キャップ）が装着され、この蓋に一文字形の係合溝が設けられている。
【０００４】
特許文献２では、２重床の支柱の上端に蓋（ロック手段）が螺合されており、この蓋に係合溝（回転操作用溝）が設けられている。
【０００５】
特許文献３には、電気・電子機器の電池挿脱口に装着され、コインによって開閉される蓋として、第１の係合溝の底部に細幅の第２の係合溝を設けた蓋が記載されている。
【先行技術文献】
【特許文献】
【０００６】
【特許文献１】特開２０１０−１５６０９８
【特許文献２】特開平１１−１３２６５
【特許文献３】特開平１０−５０２８２
【発明の概要】
【発明が解決しようとする課題】
【０００７】
上記特許文献１〜３の蓋は、いずれも上面が平坦となっており、この平坦な上面に係合溝が凹設されている。
【０００８】
このような蓋にあっては、コインの懸かりを深くするべく係合溝を深くした場合、係合溝にゴミ等の異物が溜り易くなる。なお、係合溝を浅くしたのでは、コインの懸かりが浅くなり、蓋を回すときに強いトルクを与えることができなかったり、係合溝の角縁が損壊したりするおそれがある。
【０００９】
本発明は、コイン等の円盤状部材を係合溝にしっかりと係合させて回すことができ、しかも係合溝にゴミ等の異物が溜りにくい蓋と、この蓋を備えた排水トラップを提供することを目的とする。
【課題を解決するための手段】
【００１０】
本発明の蓋は、コイン等の円盤形物体を係合させるための係合溝が設けられた係合溝形成面を有する蓋において、該係合溝形成面に、側面全体が斜面で構成された凹部が設けられており、前記係合溝は該凹部に設けられていることを特徴とするものである。
【００１１】
第１発明においては、前記係合溝を含む蓋の断面において、前記凹部及び前記係合溝の底面がいずれも円弧状である。第２発明においては、該係合溝は、該凹部を横断し、その両端が該係合溝形成面にまで達している。
【００１２】
第１発明の場合、前記断面において、前記凹部の底面から前記係合溝の底面までの距離が該係合溝の延在方向において略一定であることが好ましい。
【００１３】
前記凹部は凹球面状であることが好ましい。また、凹部は、蓋開閉操作者の指先を差し込み得る大きさであることが好ましい。
【００１４】
本発明の排水トラップは、上記本発明の蓋が点検口に装着されているものである。
【発明の効果】
【００１５】
本発明の蓋にあっては、蓋の係合溝形成面に凹部が設けられ、この凹部に係合溝が設けられているので、該凹部から係合溝底面までの深さが小さいものとなり、係合溝にゴミ等の異物が溜りにくくなると共に、入り込んだ異物も除去し易い。この凹部の側面全体が斜面で構成されているので、凹部自体の清掃性も良い。
【００１６】
本発明では、凹部を蓋開閉操作者の指先を差し込み得る大きさとすることにより、コイン等を挟持した指先を該凹部に差し込むことができる。そのため、係合溝を長くしてもコイン等の中央付近を含む大部分を挟持してコイン等を係合溝に係合させることができる。また、係合溝を長くすることにより、係合溝に係合するコイン等の周長が長くなる。このようなことから、コイン等を係合溝に十分に係合させ、且つコイン等をしっかりと挟持して蓋を回すことができる。これにより、蓋をしっかりと装着することが可能になると共に、蓋の取り外しが容易となる。
【００１７】
前記係合溝を含む蓋の断面において、凹部及び係合溝の底面を円弧状とすることにより、凹部の底面から前記係合溝の底面までの距離を該係合溝の延在方向において略一定とすることができ、コイン等を係合溝にしっかりと係合させることが可能となる。前記凹部を凹球面状とすることにより、凹部にゴミ等の異物が溜りにくくなると共に、凹部に入り込んだ異物が除去し易いものとなる。
【図面の簡単な説明】
【００１８】
【図１】実施の形態に係る蓋の斜視図である。
【図２】図１の蓋の側面図である。
【図３】図１の蓋の平面図である。
【図４】図３のIV−IV線断面図である。
【図５】図３のＶ−Ｖ線断面図である。
【図６】図１の蓋の底面図である。
【図７】図１の蓋を備えた排水トラップの開口部分の断面図である。
【発明を実施するための形態】
【００１９】
以下、図１〜７を参照して実施の形態について説明する。
【００２０】
この蓋１は、フランジ部２と、該フランジ部２の上面に凹設された、側面全体が斜面で構成された凹部３と、該凹部３を横断するように該フランジ部２の上面から凹設された係合溝４と、フランジ部２の裏面側から突設された円筒部５と、該円筒部５の外周面に設けられた突起６とを備えている。
【００２１】
凹部３は、この実施の形態では、円盤形のフランジ部２の盤中央部に設けられた凹球面状（球殻の内周面の一部を形成する凹曲面）であり、その外周縁の直径ｄ（図３）は好ましくは１５〜２５ｍｍ特に１６〜１８ｍｍである。凹部３の深さａ（図５）は好ましくは３〜８ｍｍ特に好ましくは４〜５ｍｍである。凹部３がこの大きさであれば、コイン９（図７)を摘んだ指先を楽に凹部３に入り込ませることができる。
【００２２】
係合溝４は、フランジ部２の直径方向に延在する一文字形状である。係合溝４は、凹部３を横断し、その両端がフランジ部２の上面にまで達している。即ち係合溝４の長さＬ（図３）は凹部３の直径ｄよりも大となっている。Ｌ−ｄは３〜８ｍｍ特に４〜５ｍｍであることが好ましい。
【００２３】
係合溝４の長手方向に沿い、且つ円筒部５の軸心線を含む縦断面図である図４に示す通り、凹部３の底面の円弧と係合溝４の底面の円弧とは同心円状である。従って、凹部３の底面から係合溝４の底面までの距離ｂ（図５）は、係合溝４の両端付近を除いてほぼ一定である。
【００２４】
図７は、この蓋１の装着例を示すものであり、排水トラップ１０の点検口１１にこの蓋１が装着されている。なお、フランジ部２の下面側に止水用パッキン８が装着されている。点検口１１の内周面に設けられたキー溝１２に突起６が係合することにより、蓋１が点検口１１に装着されている。蓋１の係合溝４にコイン９を係合させ、円筒部５の軸心回りに回すことにより蓋が点検口１１に着脱される。
【００２５】
この実施の形態では、フランジ部２の上面に凹部３が設けられているので、コイン９を挟持した指先（例えば親指と人差し指の指先）を凹部３に差し込むことができる。そのため、係合溝４を長くしても、コイン９の中央付近を含む大部分を指先で挟持してコイン９を係合溝４に係合させることができる。また、係合溝４を長くしたことにより、係合溝４に係合するコイン９の周長が長いものとなる。
【００２６】
このようなことから、コイン９を係合溝４に十分に係合させ、且つコイン９をしっかりと挟持して蓋１を強く回すことができる。この結果、蓋１の装着を堅固なものとすることができると共に、蓋１の取り外しを容易に行うこともできる。
【００２７】
凹部３を設けているため、係合溝４の蓋１外面からの深さが小さい。そのため、この係合溝４にゴミ等の異物が溜りにくいと共に、仮に異物が溜っても簡単に除去することができる。また、凹部３を球面状としているので、凹部３にゴミ等の異物が溜りにくいと共に、仮に異物が溜っても簡単に除去することができる。
【００２８】
上記実施の形態は本発明の一例であり、本発明は図示以外の形態とされてもよい。例えば、上記実施の形態では、係合溝４は一文字形であるが、十字型に設けられてもよい。
【００２９】
上記実施の形態では、凹部３の平面視形状が円形であるが、楕円形状、方形、多角形など、円以外の形状であってもよい。凹部が非円形である場合においても、この凹部の係合溝４方向の長さ及びそれと直径方向の長さはいずれも上記直径ｄと同等程度であることが好ましい。
【００３０】
上記実施の形態では、凹部３は、球面状であり、図５において係合溝４に近づくほどフランジ部２の上面からの深さが大きくなっているが、これに限定されるものではなく、例えば、図５において、係合溝４の近傍ではフランジ部２の上面からの深さが略一定であってもよい。
【００３１】
上記実施の形態では、突起６によって蓋１を点検口１１に装着しているが、ねじ込みによって装着するようにしてもよい。
【００３２】
本発明の蓋は、排水トラップ以外の各種部材に装着することができる。
【００３３】
上記実施の形態では、コイン９によって蓋１を回すようにしているが、コイン以外の円盤形物品や、先端側が円弧状となっている略半円盤形先端部を有する工具その他の物品を用いて蓋を回すことも可能である。
【符号の説明】
【００３４】
１  蓋
２  フランジ部
３  凹部
４  係合溝
５  円筒部
６  突起
８  パッキン
９  コイン
１０  排水トラップ
１１  点検口
【図１】
0005935381.tif 000002
【図２】
0005935381.tif 000003
【図３】
0005935381.tif 000004
【図４】
0005935381.tif 000005
【図５】
0005935381.tif 000006
【図６】
0005935381.tif 000007
【図７】
0005935381.tif 000008